(57)【要約】【課題】簡単な構成で安価に、遠隔からのコンピュータの起動を可能とする起動装置を提供すること。【解決手段】本発明は、コンピュータ（１２）に入力信号を入力するための入力装置（２０、２２）の入力信号を変換した第１転送信号を入力信号に復元しコンピュータ（１２）に出力する第１変換部（１４）と、復元された入力信号に起動信号が含まれる場合コンピュータ（１２）を起動する電源接続部（１０）と、を具備する起動装置である。【選択図】図１
2008090746.tif 000002
【特許請求の範囲】
【請求項１】
入力装置の入力信号を変換した第１転送信号を前記入力信号に復元しコンピュータに出力する第１変換部と、
復元された前記入力信号に起動信号が含まれる場合、前記コンピュータを起動する電源接続部と、を具備することを特徴とする起動装置。
【請求項２】
前記電源接続部は、前記コンピュータのオートリスタート機能を用い前記コンピュータを起動することを特徴とする請求項１記載の起動装置。
【請求項３】
前記電源接続部は前記コンピュータと電源との間に接続され、前記コンピュータへの電源供給を一定時間遮断し、再び投入することにより、前記コンピュータを起動することを特徴とする請求項２記載の起動装置。
【請求項４】
複数の前記入力装置の前記第１転送信号のうち少なくとも１つを複数の前記コンピュータのうち少なくとも１つに対応する前記第１変換部に接続するスイッチ部を具備することを特徴とする請求項１から３のいずれか一項記載の起動装置。
【請求項５】
前記入力信号を前記第１転送信号に変換する第２変換部を具備することを特徴とする請求項１から４のいずれか一項記載の起動装置。
【請求項６】
前記第１変換部は、表示部に画像を表示するためコンピュータから出力される画像信号を第２転送信号に変換し第２変換部に出力し、
前記第２変換部は、前記第２転送信号を前記画像信号に復元し前記表示部に出力することを特徴とする請求項５記載の起動装置。
【請求項７】
前記入力装置は、キーボードおよびマウスの少なくとも一方であることを特徴とする請求項１から６のいずれか一項記載の起動装置。
【発明の詳細な説明】
【技術分野】
【０００１】
本発明は、起動装置に関し、特に入力装置から入力した入力信号に起動信号が含まれる場合コンピュータの電源を投入する起動装置に関する。
【背景技術】
【０００２】
コンピュータの起動は起動スイッチを機械的に操作して行うため、コンピュータが設置された場所で行うことが一般的である。そこで、コンピュータの起動を遠隔操作で投入するための技術が開示されている。特許文献１には、データ通信網を使用し遠隔端末装置からホストマシンを起動する技術が開示されている。特許文献２には、公衆回線網を用い遠隔端末装置からホストコンピュータを起動する技術が開示されている。特許文献３には、周辺機器との接続ケーブルを用い周辺機器の信号によりコンピュータの起動を行う技術が開示されている。
【特許文献１】特開平８−１９０５２６号公報
【特許文献２】特開平１０−２２４４９４号公報
【特許文献３】特開２００１−１３４３４６号公報
【発明の開示】
【発明が解決しようとする課題】
【０００３】
例えば、特許文献１および特許文献２に記載の技術においては、遠隔地に端末コンピュータが必要であり、高価なシステムとなる。例えば、特許文献３に記載の技術においては、周辺機器とコンピュータとの接続に用いられるケーブルを用いているため、ケーブルを長くすることは困難である。よって、遠隔操作は難しい。また、ケーブルが高価なものとなる。
【０００４】
本発明は、上記課題に鑑みなされたものであり、簡単な構成で安価に、遠隔からのコンピュータの起動を可能とする起動装置を提供することを目的とする。
【課題を解決するための手段】
【０００５】
本発明は、入力装置の入力信号を変換した第１転送信号を前記入力信号に復元しコンピュータに出力する第１変換部と、復元された前記入力信号に起動信号が含まれる場合、前記コンピュータを起動する電源接続部と、を具備することを特徴とする起動装置である。本発明によれば、端末コンピュータが必要なく簡単な構成で安価に、遠隔からのコンピュータの起動を可能となる。
【０００６】
上記構成において、前記電源接続部は、前記コンピュータのオートリスタート機能を用い前記コンピュータを起動する構成とすることができる。この構成によれば、簡単にコンピュータを起動することができる。
【０００７】
上記構成において、前記電源接続部は前記コンピュータと電源との間に接続され、前記コンピュータへの電源供給を一定時間遮断し、再び投入することにより、前記コンピュータを起動する構成とすることができる。この構成によればオートリスタート機能を用い、コンピュータを起動することができる。
【０００８】
上記構成において、複数の前記入力装置の前記第１転送信号のうち少なくとも１つを複数の前記コンピュータのうち少なくとも１つに対応する前記第１変換部に接続するスイッチ部を具備する構成とすることができる。この構成によれば、１つの入力装置から複数のコンピュータを起動することができる。
【０００９】
上記構成において、前記入力信号を前記第１転送信号に変換する第２変換部を具備する構成とすることができる。
【００１０】
上記構成において、前記第１変換部は、表示部に画像を表示するためコンピュータから出力される画像信号を第２転送信号に変換し第２変換部に出力し、前記第２変換部は、前記第２転送信号を前記画像信号に復元し前記表示部に出力する構成とすることができる。
【００１１】
上記構成において、前記入力装置は、キーボードおよびマウスの少なくとも一方である構成とすることができる。
【発明の効果】
【００１２】
本発明によれば、簡単な構成で安価に、遠隔からのコンピュータの起動を可能とする起動装置を提供することを抑制することができる。
【発明を実施するための最良の形態】
【００１３】
以下、図面を用い本発明の実施例を説明する。
【実施例１】
【００１４】
実施例１においては、コンピュータ（例えばサーバ）がオートリスタート機能を有している。オートリスタート機能とは、停電等の電源障害から復電した際、コンピュータが自動的に起動する機能である。つまり、コンピュータのＡＣ（交流）電源が遮断された後、ＡＣ電源が復旧すると、自動的にコンピュータが起動する機能である。図１は実施例１に係る起動装置を含むシステムのブロック図である。コンピュータ１２、表示部１８、キーボード２０、マウス２２、起動装置１１、電源２４、ケーブル２８が図示されている。起動装置１１は第１変換部１４、第２変換部１６および電源接続部１０を有する。
【００１５】
キーボード２０およびマウス２２は、コンピュータ１２に入力信号を入力するための入力装置である。表示部１８は、コンピュータ１２の出力する画像信号に基づき画像を表示する。第１変換部１６は、入力信号を変換した第１転送信号を再度入力信号に復元し前記コンピュータに出力する。また、コンピュータ１２の出力した画像信号を第２転送信号に変換し第２変換部に出力する。第２変換部は、キーボード２０やマウス２２が出力した入力信号を第１転送信号に変換する。また、第２転送信号を再度画像信号に変換し表示部１８に出力する。ケーブル２８は第１変換部１４と第２変換部１６とを接続し、第１転送信号および第２転送信号を伝送する。電源接続部１０はコンピュータ１２と電源２４との間に接続されており、第１変換部１４の指示によりコンピュータ１２と電源２４とを遮断または接続する。このような構成により、キーボード２０、マウス２２および表示部１８を用い遠距離からのコンピュータ１２の操作が可能となる。
【００１６】
図２は、電源接続部１０の回路図である。ＡＣ１００Ｖのコンセントのアース端子Ｇ、ＡＣ１およびＡＣ２は、コンピュータ側コネクタ４０を介しコンピュータ１２のアース端子Ｇ、ＡＣ１およびＡＣ２に接続される。ＡＣ１のラインにはスイッチａ３４、スイッチｂ３６が設けられている。スイッチａ３４およびスイッチｂ３６が接続、遮断することにより、コンピュータ１２に供給される電源が接続、遮断する。スイッチａ３４とスイッチｂ３６と２系統設けられているのは、一方が破損したときの予備のためである。ＡＣ１とＡＣ２の間にはネオン管３８が設けられている。ネオン管３８は、コンピュータ１２に電源が供給されると発光する。ＡＣ１およびＡＣ２はヒューズ３２、ＡＣ／ＤＣコンバータ３０を介しＤＣ（直流）５Ｖに変換される。ＤＣ５Ｖは第１変換部１４の電源および以下の回路の電源として供給される。
【００１７】
第１変換部１４の出力ＶａおよびＶｂは第１変換部側コネクタ５２を介し入力される。ＶａおよびＶｂは比較器５０に入力する。比較器５０は例えばＲＳ−４８５レシーバであり、Ｖａ−Ｖｂが正になればハイレベルを、負になればローレベルを出力する。比較器５０の出力は駆動トランジスタ４８のベースに入力する。駆動トランジスタ４８は、比較器５０の出力がハイレベルのときコイルＡ４４およびコイルＢ４６に電流を流す。コイルＡ４４およびコイルＢ４６はそれぞれスイッチａ３４およびスイッチｂ３６を駆動する。よって、Ｖａ−Ｖｂが正となり、比較器５０の出力がハイレベルとなるとコイルＡ４４およびＢ４６に電流が流れ、スイッチａ３４およびｂ３６がオンし、コンピュータ１２にＡＣ電源が接続される。一方、Ｖａ−Ｖｂが負となると、スイッチａ３４およびｂ３６がオフし、ＡＣ電源は遮断される。
【００１８】
図３は、起動装置１１のタイミングチャートである。コンピュータ１２が停止状態のとき、Ｖａ−Ｖｂは０．２Ｖ以上であり、電源接続部１０はコンピュータ１２にＡＣ電力を供給している。時間ｔ１において、第１変換部１４が起動信号を検知する。すなわち、第１転送信号を復元した入力信号に起動信号が含まれている。起動信号としては、例えばキーボード２０のＳｈｉｆｔ＋Ａｌｔ＋Ｐ、Ｏ、Ｎに対応する信号を用いている。第１変換部１４は電源接続部１０にＶａ−Ｖｂが−０．２Ｖ以下となるように信号を出力する。電源接続部１０は図２を用い説明したように、コンピュータ１２のＡＣ電力を遮断する。時間ｔ２において、第１変換部１４は、Ｖａ−Ｖｂが０．２Ｖ以上となるように信号を出力する。電源接続部１０は図２を用い説明したように、コンピュータ１２のＡＣ電力を復帰する。コンピュータ１２はオートリスタート機能により起動する。時間ｔ１とｔ２との差は例えば数秒とすることができる。
【００１９】
実施例１によれば、第２変換部１６は、キーボード２０やマウス２２等から出力された入力信号を遠距離伝送が可能な第１転送信号に変換する。第１変換部１４は第１転送信号を入力信号に復元し、コンピュータ１２に出力する。入力信号に起動信号が含まれる場合、電源接続部１０はコンピュータ１２を起動させる。ケーブル２８として例えばＣａｔ５ケーブルのようなＬＡＮ（Local Area Network）用ケーブルとし、第１転送信号がＬＡＮ用ケーブルを伝送する信号とする。これにより、特許文献１および特許文献２のような端末装置が不要となる。また、特許文献３のような長距離伝送が難しい周辺機器用のケーブル（例えばＵＳＢ（Universal Serial Bus）ケーブル）を用いないため、遠距離からのコンピュータ１２の起動が可能となる。また、複数の入力装置を用いコンピュータ１２を操作する場合も１本のケーブル２８を用いるため安価となる。
【００２０】
また、電源接続部１０は、コンピュータ１２のオートリスタート機能を用いコンピュータ１２を起動する。第１転送信号はケーブル２８を伝送する。電源接続部１０はコンピュータ１２と電源２４との間に接続され、コンピュータ１２への電源供給を一定時間遮断し、再び投入することにより、コンピュータ１２を起動している。電源接続部１０はコンピュータ１２の起動スイッチを投入することによりコンピュータ１２を起動することもできる。しかしながら、この場合は起動スイッチを電気的に投入するため、リレースイッチ等を設置することが必要となる。実施例１のように、オートリスタート機能を用いることによりコンピュータのハードを変更することなく、簡単にコンピュータを遠隔から起動することができる。
【００２１】
さらに、第１変換部１４は、表示部１８に画像を表示するためコンピュータ１２から出力される画像信号を第２転送信号に変換し第２変換部１６に出力する。第２変換部１６は、第２転送信号を画像信号に復元し表示部１８に出力する。このように、ケーブル２８は画像信号も伝送させることができる。
【００２２】
入力装置を、キーボード２０およびマウス２２の少なくとも一方とすることにより、キーボード２０やマウス２２の操作により簡単に起動信号を出力することができる。例えば、入力装置として、キーボード２０やマウス２２以外の押釦等を設けることもできる。しかしながら、押釦等のキーボード２０やマウス２２以外の入力装置を用いた場合は、キーボード２０およびマウス２２に加え押釦等の装置が必要となる。
【実施例２】
【００２３】
実施例２はスイッチ部を有する例である。図４は実施例２に係る起動装置を含むシステムのブロック図である。実施例１の図１に対し、起動装置１１は、スイッチ部２６を有する。スイッチ部２６は複数のキーボード２０およびマウス２２の第１転送信号のうち少なくとも１つを複数のコンピュータのうち少なくとも１つに対応する第１変換部１４に接続する。第２変換部１６はキーボード２０やマウス２２からの入力信号を第１転送信号に変換するとともに、スイッチ部２６にどのコンピュータ１２に接続させるかの情報をスイッチ部２６に出力する。その他の構成は実施例１と同じであり説明を省略する。
【００２４】
実施例２によれば、１つの入力装置から複数のコンピュータを操作することが可能である。また、１つの入力装置から複数のコンピュータを起動することができる。
【００２５】
以上、本発明の実施例について詳述したが、本発明は係る特定の実施例に限定されるものではなく、特許請求の範囲に記載された本発明の要旨の範囲内において、種々の変形・変更が可能である。
【図面の簡単な説明】
【００２６】
【図１】図１は実施例１に起動装置を含むシステムのブロック図である。
【図２】図２は電源接続部の回路図である。
【図３】図３は起動装置のタイミングチャートである。
【図４】図４は実施例２に係る起動装置を含むシステムのブロック図である。
【符号の説明】
【００２７】
１０            電源接続部
１１            起動装置
１２            コンピュータ
１４            第１変換部
１６            第２変換部
１８            表示部
２０            キーボード
２２            マウス
２４            電源
２６            スイッチ部
２８            ケーブル
【図１】
2008090746.tif 000003
【図２】
2008090746.tif 000004
【図３】
2008090746.tif 000005
【図４】
2008090746.tif 000006